(57)【要約】【課題】本発明は、シート部材におけるキー操作部が配置される領域を全て含む領域に非導電性の材料により構成される遮光部材を塗布することで、遮光と静電気対策がなされた携帯電子機器を提供することを目的とする。【解決手段】携帯電話機１は、キー孔１３ａ、１５ａを有する操作部側筐体２と、キー孔１３ａ、１５ａから外部に露出して配置され少なくも一部が透光性を有する機能設定操作キー部材１３ｂ及び非透光性の環状キー部材１６ｂと、機能設定操作キー部材１３ｂ及び環状キー部材１６ｂを支持するキーシート４０Ｃと、キーシート４０Ｃの下方に配置されるＬＥＤ発光部５５と、キーシート４０Ｃにおける環状キー部材１６ｂが対向する領域の全てを含むと共に外縁が機能設定操作キー部材１３ｂにおける環状キー部材１６ｂ側の端部１３０が対向する位置まで延びるように塗布される遮光部材４５と、を備える。【選択図】図３
2008294804.tif 000002
【特許請求の範囲】
【請求項１】
開口部を有する筐体と、
少なくも一部が透光性を有して構成される第１キー操作部と、前記第１キー操作部に隣設される非透光性の第２キー操作部と、前記第１キー操作部と前記第２キー操作部とを支持する透光性のシート部材と、を有し、前記第１キー操作部と前記第２キー操作部が前記開口部を介して前記筐体の外部に露出するよう配置されるキー部材と、
前記シート部材を間に挟んで前記第１キー操作部に対向した位置に配置され前記第１キー操作部の押下操作によって動作される第１スイッチ部材と、前記シート部材を間に挟んで前記第２キー操作部に対向した位置に配置され前記第２キー操作部の押下操作によって動作される第２スイッチ部材と、を有するキースイッチ部材と、
前記第１スイッチ部材における前記第２スイッチ部材側に配置される発光部材と、を備え、
前記シート部材には、前記第２キー操作部が対向する部分の全てを含む共に、前記第１キー操作部における前記第２キー操作部側の外縁が対向する位置まで延びるように非導電性の材料により構成される遮光部材が塗布される携帯電子機器。
【請求項２】
前記遮光部材は、前記シート部材における前記第１キー操作部と前記第２キー操作部とが配置される側の面に塗布される請求項１に記載の携帯電子機器。
【請求項３】
前記第２キー操作部の外表面には、前記筐体の外部に露出する部分から前記筐体の内部に配置される部分まで連続して導電性の塗料が塗布される請求項１又は２に記載の携帯電子機器。
【請求項４】
前記シート部材は、ラバー部材により構成される請求項１から３のいずれか１項に記載の携帯電子機器。
【発明の詳細な説明】
【技術分野】
【０００１】
本発明は、携帯電話機等の携帯電子機器に関する。
【背景技術】
【０００２】
従来、キー操作部に割り当てられた機能や数字をより明確に表示するために、キー操作部の押下部に数字等の形状をした透光部を形成すると共に、筐体の内部に配置された発光部から照射された光をキー操作部に形成された数字等の透光部から透過させる携帯電子機器が開示されている。
【０００３】
しかし、筐体の内部に配置された発光部から照射される光がキー操作部に形成された透光部とは異なる部分から漏れ出す場合には、上述の表示効果が半減すると共に、使用者の印象が悪くなるという問題があった。
【０００４】
これに対し、透光性樹脂で形成されたキー操作部としてのキートップと、このキートップが接合されたキーパッドとを有すると共に、このキーパッドにおけるキートップが配置された領域の周囲に非透光性のインキを塗布することで、キートップの周囲から光が漏れることを抑制した携帯電子機器が提案されている（例えば、特許文献１参照）。
【特許文献１】特開２０００−１７３３８０号公報
【発明の開示】
【発明が解決しようとする課題】
【０００５】
しかし、特許文献１に開示された構造では、キートップが配置される領域の周囲に非透光性のインキが塗布されているが、キーパッドにおけるキートップが配置される領域には非透光性のインキが塗布されていない。
【０００６】
このような構造において、キートップに帯電した静電気が、非透光性のインキが塗布されていないキーパッドにおけるキートップの直下領域を通り抜けてキースイッチ等の動作に影響を与える場合があった。
【０００７】
また、上述のような静電気への対策として、上述のインキを塗布した後、更にキーパッドに導電性の塗料等を所定のグランド部に電気的に接続される態様で塗布する必要があった。この場合においては、遮光のためのインキの塗布と、静電気対策のための導電性塗料の塗布とが必要になるという問題があった。
【０００８】
本発明は、静電気対策が必要なキー操作部が配置されるシート部材における前記キー操作部が配置される領域を全て含む領域に非導電性の材料により構成される遮光部材を塗布することで、遮光と静電気対策がなされた携帯電子機器を提供することを目的とする。
【課題を解決するための手段】
【０００９】
本発明は、開口部を有する筐体と、少なくも一部が透光性を有して構成される第１キー操作部と、前記第１キー操作部に隣設される非透光性の第２キー操作部と、前記第１キー操作部と前記第２キー操作部とを支持する透光性のシート部材と、を有し、前記第１キー操作部と前記第２キー操作部が前記開口部を介して前記筐体の外部に露出するよう配置されるキー部材と、前記シート部材を間に挟んで前記第１キー操作部に対向した位置に配置され前記第１キー操作部の押下操作によって動作される第１スイッチ部材と、前記シート部材を間に挟んで前記第２キー操作部に対向した位置に配置され前記第２キー操作部の押下操作によって動作される第２スイッチ部材と、を有するキースイッチ部材と、前記第１スイッチ部材における前記第２スイッチ部材側に配置される発光部材と、を備え、前記シート部材には、前記第２キー操作部が対向する部分の全てを含む共に、前記第１キー操作部における前記第２キー操作部側の外縁が対向する位置まで延びるように非導電性の材料により構成される遮光部材が塗布される携帯電子機器に関する。
【００１０】
また、前記遮光部材は、前記シート部材における前記第１キー操作部と前記第２キー操作部とが配置される側の面に塗布されることが好ましい。
【００１１】
また、前記第２キー操作部の外表面には、前記筐体の外部に露出する部分から前記筐体の内部に配置される部分まで連続して導電性の塗料が塗布されることが好ましい。
【００１２】
また、前記シート部材は、ラバー部材により構成されることが好ましい。
【発明の効果】
【００１３】
本発明によれば、静電気対策が必要なキー操作部が配置されるシート部材における前記キー操作部が配置される領域を全て含む領域に非導電性の材料により構成される遮光部材を塗布することで、遮光と静電気対策がなされた携帯電子機器を提供することができる。
【発明を実施するための最良の形態】
【００１４】
以下、図面を参照して本発明を実施するための最良の形態を説明する。なお、以下、携帯電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、電子辞書、携帯音楽再生機等であってもよい。
【００１５】
図１により、携帯電話機１における基本構造を説明する。図１は、携帯電話機１を開いた状態における外観斜視図を示す。
図１に示すように、携帯電話機１は、操作部側筐体２と、表示部側筐体３と、を備える。操作部側筐体２と表示部側筐体３とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。ここで、閉状態とは、両筐体が互いに重なるように配置された状態であり、開状態とは、両筐体が互いに重ならないように配置された状態をいう。
【００１６】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力されるマイクとしての音声入力部１２のための音声入力孔とがそれぞれ露出するように構成される。
【００１７】
操作キー群１１は、各種設定や電話帳機能やメール機能等の各種機能を作動させるための第１キー操作部としての機能設定操作キー１３、電話番号の数字やメール等の文字等を入力するための入力操作キー１４、各種操作における決定や上下左右方向のスクロール等を行う操作部材としての決定操作キー１５により構成されている。決定操作キー１５は、第２キー操作部としての環状キー１６と、環状の中央部に形成される中央キー１７とにより構成される。
【００１８】
機能設定操作キー１３を構成する機能設定操作キー部材１３ｂには、所定の機能を表示する形状に形成された透光部が形成される。環状キー１６を構成する環状キー部材１６ｂには、外部に露出される側の表面全体にメッキが塗布される。これにより、環状キー部材１６ｂは、非透光性であると共に導電性となるように構成される。
【００１９】
操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００２０】
音声入力部１２は、操作部側筐体２の長手方向における連結部４側と反対の外端部側に配置される。つまり、音声入力部１２は、携帯電話機１が開状態において一方の外端部側に配置される。
【００２１】
操作部側筐体２における一方側の側面には、外部機器（例えば、ＰＣ等）と通信を行うためのインターフェース（図示せず）が配置されており、インターフェースは、キャップ１９により覆われている。操作部側筐体２の他方側の側面には、所定の機能が割り当てられているサイドキーと、外部メモリの挿入及び取り出しが行われるインターフェース（図示せず）とが配置されており、インターフェースは、キャップにより覆われている。
【００２２】
表示部側筐体３は、外面がフロントパネル３ａとフロントケース３ｂとリアケース３ｃとリアパネルとにより構成される。表示部側筐体３におけるフロントケース３ｂには、各種情報を表示するための表示部２１と、通話の相手側の音声を出力するレシーバとしての音声出力部２２のための音声出力孔と、が露出するように構成される。ここで、表示部２１は、液晶パネルと、この液晶パネルを駆動する駆動回路と、この液晶パネルの背面側から光を照射するバックライト等の光源部とから構成される。
【００２３】
次いで、図２から図４により、操作部側筐体２及び表示部側筐体３の内部構造について説明する。図２は、操作部側筐体２に内蔵される部材の分解斜視図である。図３は後述するキー構造部４０における、遮光部材４５が塗布された領域を説明する図である。図４は、後述するフレキシブル配線基板５０における遮光部材４５が塗布された領域を説明する他の図である。図５は、表示部側筐体３に内蔵される部材の分解斜視図である。
【００２４】
図２に示すように、操作部側筐体２は、フロントケース２ａと、キー部材としてのキー構造部４０と、フレキシブル配線基板５０と、シールドケース体６０と、基準電位パターン層及び携帯電話機用のＲＦ（Ｒａｄｉｏ  Ｆｒｅｑｕｅｎｃｙ）モジュール等の各種電子部品を備える回路基板７０と、音声入力部１２と、バッテリリッド２ｃを備えたリアケース２ｂと、バッテリ８０とを備える。
【００２５】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、フレキシブル配線基板５０と、シールドケース体６０と、回路基板７０とが挟まれるようにして内蔵される。つまり、回路基板７０を覆うようにしてシールドケース体６０が積層配置され、また、シールドケース体６０の上面側にフレキシブル配線基板５０が積層配置され、また、フレキシブル配線基板５０の上面にキー構造部４０が積層配置される。
【００２６】
フロントケース２ａには、携帯電話機１を折り畳んだ状態で表示部側筐体３の表示部２１と対向する内側面に、開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５に含まれる環状キー１６を構成する環状キー部材１６ｂ及び中央キーを構成する中央キー部材１７ｂの押圧面が露出される。
【００２７】
この露出した機能設定操作キー部材１３ｂ、入力操作キー部材１４ｂ、環状キー部材１６ｂ及び中央キー部材１７ｂの押圧面を押し下げるように押圧することで、フレキシブル配線基板５０上に対応して配置されているキースイッチ５１、５２、５３、５４それぞれに設けられる後述のメタルドーム（椀状形状）の頂点が押圧され、スイッチ端子に接触して電気的に導通する。
【００２８】
キー構造部４０は、操作部材４０Ａと、補強部材としてのキーフレーム４０Ｂと、シート部材としてのキーシート４０Ｃと、により構成される。
【００２９】
操作部材４０Ａは、複数のキー操作部材により構成される。具体的には、第１キー操作部としての機能設定操作キー部材１３ｂと、入力操作キー部材１４ｂと、第２キー操作部としての環状キー部材１６ｂと、中央キー部材１７ｂとにより構成される。
【００３０】
機能設定操作キー部材１３ｂと、入力操作キー部材１４ｂとには、各操作キー部材の機能等を表示する形状の透光部が形成される。具体的には、機能設定操作キー部材１３ｂには、メール機能やインターネット接続機能を表示する図形状の透光部が形成される。入力操作キー部材１４ｂには、数字形状の透光部が形成される。
【００３１】
この透光部から後述するキースイッチ部材としてのフレキシブル配線基板５０上に配置されるＬＥＤ発光部５５から照射される光が透過して、所定の機能を示す図形等が強調表示される。ここで、ＬＥＤ発光部５５から照射された光が透光部とは異なる部分から漏れ出すことを抑制するために、後述の遮光部材４５がキーシート４０Ｃに塗布される。
【００３２】
第２キー操作部としての環状キー部材１６ｂには、上述のように、外部に露出する側の外面全体にメッキ処理が施される。外部に露出する側の外面とは、外部に露出する部分だけでなく、同じ表面における操作部側筐体２内に配置される部分も含むものである。これにより、環状キー部材１６ｂは、非透光性であると共に導電性となるように構成される。
【００３３】
操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、開口部としてのキー孔１３ａ、１４ａ、１５ａそれぞれから外部に露出して配置される。具体的には、機能設定操作キー部材１３ｂは、キー孔１３ａを介して押圧面が露出するように配置される。また、入力操作キー部材１４ｂは、キー孔１４ａを介して押圧面が露出するように配置される。また、環状キー部材１６ｂ及び中央キー部材１７ｂは、キー孔１５ｂを介して押圧面が露出するように配置される。
【００３４】
キーフレーム４０Ｂは、孔部１４ｃが複数形成された金属性の板状部材である。キーフレーム４０Ｂは、入力操作キー部材１４ｂの押圧時における回路基板７０等への悪影響を防ぐための補強部材である。即ち、キーフレーム４０Ｂは導電性の部材で構成され、入力操作キー部材１４ｂの操作時に飛び込む静電気を回路基板７０のグランド部に逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。また、キーフレーム４０Ｂは、可撓性を有するキーシート４０Ｃの撓みを抑制する機能を有しており、入力操作キー部材１４ｂの操作時等におけるキーシート４０Ｃの浮き上がりを抑制したり、キーシート４０Ｃの位置決めを行うように構成されている。
【００３５】
孔部１４ｃは、凸部１４ｄの外周よりも大きく、かつ、入力操作キー部材１４ｂの外周よりも小さくなるように形成される。孔部１４ｃがこのように形成されるので、孔部１４ｃの周囲に形成される格子部１４ｅには、入力操作キー部材１４ｂの外周が載置される。
入力操作キー部材１４ｂの押圧面が押下された場合、押圧面が撓むと共に、格子部１４ｅに載置された外周は格子部１４ｅに支持される。つまり、キーフレーム４０Ｂにより、キー操作に必要な変形が得られると共に、回路基板７０に過剰な圧力が加えられることを抑制できる。
【００３６】
キーフレーム４０Ｂは、後述するシールドケース体６０に固定部４２に挿通された導電性の固定部材により固定される。キーフレーム４０ｂは、シールドケース体６０と電気的に接続される。そして、後述のようにシールドケース体６０は基準電位部としての基準電位パターン層７５に電気的に接続されるので、キーフレーム４０Ｂは、シールドケース体６０を介して基準電位パターン層７５と電気的に接続される。
【００３７】
シート部材としてのキーシート４０Ｃは、透光性のラバー部材により構成される。具体的には、キーシート４０Ｃは、可撓性を有するシリコンゴム製のシート状部材により構成される。キーシート４０Ｃには、操作部材４０Ａを構成するキー操作部材が接合されると共に、操作部材４０Ａを構成するキー操作部材を支持する。
【００３８】
ここで、キーシート４０Ｃには、キーフレーム４０Ｂが配置される側の面に複数の凸部１４ｄが形成される。この複数の凸部１４ｄそれぞれは、後述するキースイッチ５２に対応する位置に形成される。複数の凸部１４ｄそれぞれは、キーフレーム４０Ｂに形成される複数の孔部１４ｃそれぞれに嵌合するようにして配置される。複数の孔部１４ｃそれぞれに嵌合するように配置される複数の凸部１４ｄにおける頂面には、入力操作キー部材１４ｂが接着剤により接合される。
【００３９】
キーシート４０Ｃにおけるキーフレーム４０Ｂが対向して配置されない操作部材４０Ａ（機能設定操作キー１３、決定操作キー１５）が接合される側の面には、遮光部材４５が塗布される。遮光部材４５は、絶縁性の部材であると共に、遮光性に優れた部材である。遮光部材４５は黒色の絶縁性塗料で構成されるシリコンゴム用インクであり、キーシート４０Ｃにおける上述の面に塗布される。
【００４０】
図３に示すように、遮光部材４５は、シート部材としてのキーシート４０Ｃにおける第２キー操作部としての環状キー部材１６ｂが対向して配置される領域の全てを含む領域に塗布される。具体的には、遮光部材４５は、キーシート４０Ｃにおける環状キー部材１６ｂが対向して配置される領域を全て含むと共に、第１キー操作部としての機能設定操作キー部材１３ｂにおける環状キー部材１６ｂ側の端部である端部１３０が対向する位置までその外延が延びるように形成される。つまり、遮光部材４５は、キーシート４０Ｃにおける環状キー部材１６ｂが対向して配置される領域、及び環状キー部材１６ｂの機能設定操作キー部材１３ｂ側における端部１３５から機能設定操作キー部材１３ｂの端部１３０までの領域に配置される。
【００４１】
更には、遮光部材４５は、キーシート４０Ｃにおける機能設定操作キー部材１３ｂ同士の間に対向する領域１３１にも塗布される。また、遮光部材４５は、キーシート４０Ｃにおける機能設定操作キー部材１３ｂや環状キー部材１６ｂにおけるキーフレーム４０Ｂ側の端部が対向する位置からキーフレーム４０Ｂにおける機能設定操作キー部材１３ｂや環状キー部材１６ｂ側の端部が対向する位置までの領域１３２にも塗布される。つまり、遮光部材４５は、遮光処理が必要ない部分にも塗布される。
【００４２】
ここで、遮光部材４５は、絶縁性の材料で構成されるので、該遮光部材４５は絶縁部材としても機能する。
【００４３】
図２に示すように、キースイッチ部材としてのフレキシブル配線基板５０は、キーシート４０Ｃ側に配置される複数のキースイッチ５１、５２、５３、５４を有する。第１スイッチ部材としてのキースイッチ５１、キースイッチ５２、第２スイッチ部材としてのキースイッチ５３、キースイッチ５４それぞれは、キーシート４０Ｃを間に挟んで第１キー操作部としての機能設定操作キー部材１３ｂと、入力操作キー部材１４ｂと、第２キー操作部としての環状キー部材１６ｂと、中央キー部材１７ｂとのそれぞれに対向（対応）する位置に配置される。
【００４４】
フレキシブル配線基板５０に配置されるキースイッチ５１、５２、５３、５４それぞれは、椀状に湾曲して立体的に形成された金属板のメタルドームを有する構造になっている。メタルドームは、その椀状形状の頂点が押圧されると、フレキシブル配線基板５０の表面に印刷された電気回路（図示せず）に形成されるスイッチ端子に接触して電気的に導通するように構成される。つまり、機能設定操作キー部材１３ｂ、入力操作キー部材１４ｂ、環状キー部材１６ｂ、中央キー部材１７ｂそれぞれの押下操作によってキースイッチ５１、５２、５３、５４それぞれは動作される。なお、フレキシブル配線基板５０は、複数の絶縁フィルムの間に配線を挟み込んだものである。
【００４５】
図２又は図４に示すように、フレキシブル配線基板５０のキースイッチ５１、５２、５３、５４が配置される側の面には、発光部材としてのＬＥＤ発光部５５が配置される。具体的には、キースイッチ同士の間に配置される。具体的には、透光部を有する機能設定操作キー部材１３ｂ、入力操作キー部材１４ｂに隣接する位置に配置される。第１キー操作部としての機能設定操作キー部材１３ｂにおいては、第２キー操作部としての環状キー部材１６ｂ側にＬＥＤ発光部５５が配置される。即ち、機能設定操作キー部材１３ｂと環状キー部材１６ｂとの間にＬＥＤ発光部５５が配置される。
【００４６】
ＬＥＤ発光部５５は、キーシート４０Ｃ側に光を照射する。具体的には、ＬＥＤ発光部５５は、キーシート４０Ｃを介して透光部を有する機能設定操作キー部材１３ｂ、入力操作キー部材１４ｂ、環状キー部材１６ｂそれぞれに向けて光を照射する。ＬＥＤ発光部５５から照射された光は、各キー部材に形成された透光部から外部に透過すると共に、遮光部材４５が塗布された領域では透過されない。
【００４７】
フレキシブル配線基板５０は、後述するシールドケース体６０における平板部６１に載置される。フレキシブル配線基板５０がシールドケース体６０における平板部６１に載置されるので、操作部材４０Ａそれぞれが押圧されることによる圧力や撓みは、シールドケース体６０の下方に配置される回路基板７０に伝達されにくい。
【００４８】
シールドケース体６０は、薄型の直方体における一の広い面が開口した形状を有する導電性の部材である。シールドケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブは、平板部６１の周縁及び内側に基準電位パターン層７５に対応するように形成される。具体的には、シールドケース体６０が回路基板７０に載置された状態で、基準電位パターン層７５上に配置されるようにリブが形成される。なお、シールドケース体６０は、金属により形成するほか、骨格を樹脂により形成し、その表面に導体膜を形成したものでもよい。
【００４９】
シールドケース体６０は、リブの底面が基準電位パターン層７５に当接されることで、基準電位パターン層７５と電気的に接続される。シールドケース体６０は、基準電位パターン層７５と電気的に導通して該基準電位パターン層７５と同じ大きさの電位を有するようになる。つまり、シールドケース体６０は、シールドケースとして機能する。シールドケース体６０は、シールドケースとして外部からのノイズが回路基板７０に配置される不図示の各種電子部品に作用するのを防ぐと共に、ＲＦ（Ｒａｄｉｏ  Ｆｒｅｑｕｅｎｃｙ）回路等の高周波回路から放出されるノイズを吸収して、他の電子部品に作用することを防ぐ。具体的には、シールドケース体６０におけるリブの底面が基準電位パターン層７５上に配置されることで、後述する各回路はリブにより囲われると共に平坦部の一部により覆われる。リブは、各回路における隔壁として機能し、シールドケース体６０の一部と共に各回路をシールドする。
【００５０】
シールドケース体６０にはフレキシブル配線基板５０が載置されると共に、キーフレーム４０Ｂがフレキシブル配線基板５０上に積層的に配置される。そして、キーフレーム４０Ｂは、シールドケース体６０に電気的に接続される。
【００５１】
回路基板７０には、不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００５２】
回路基板７０には、基準電位部としての基準電位パターン層７５が形成される。基準電位パターン層７５は、各回路ブロックを区画するように形成される。基準電位パターン層７５は、導電性の部材を回路基板７０の表面に所定パターンで印刷することで形成される。
【００５３】
回路基板７０とシールドケース体６０とは複数の連結部Ａにおいて着脱可能に部分的に固定される。具体的には、図２に示す回路基板７０の４隅に形成される回路基板側ネジ孔と、シールドケース体６０の４隅に所定の部材を配置して形成したシールドケース体側ネジ孔（不図示）を重ね合わせた状態で、該重なり合わされたネジ孔にネジ部材を螺合させることで、回路基板７０とシールドケース体６０とは着脱可能に固定される。
【００５４】
具体的には、基準電位パターン層７５にリブの底面が当接された状態でシールドケース体６０は回路基板７０と固定される。つまり、回路基板７０における基準電位パターン層７５とシールドケース体６０とは電気的に接続される。ここで、上述のように、キーフレーム４０Ｂはシールドケース体６０と電気的に接続されるので、キーフレーム４０Ｂは、シールドケース体６０を介して基準電位パターン層７５と電気的に接続される。
【００５５】
リアケース２ｂには、取り外し可能なバッテリリッド２ｃが設けられており、バッテリ８０をリアケース２ｂの外側から収納した後、リアケース２ｂに装着される。また、リアケース２ｂには、ユーザの音声を入力する音声入力部１２が収容される。
【００５６】
図５に示すように、表示部側筐体３は、フロントパネル３ａと、音声出力部２２と、フロントケース３ｂと、スピーカ２３と、表示部２１と、表示部２１が接続されたプリント基板８５と、リアケース３ｃと、リアパネル３ｄと、を備える。
【００５７】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００５８】
そして、フロントケース３ｂとリアケース３ｃとの間には、表示部２１が接続されたプリント基板８５が挟まれるようにして内蔵される。プリント基板８５には、不図示のアンプと接続されるスピーカ２３が接続される。
【００５９】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００６０】
続けて、遮光部材４５の作用について説明する。遮光部材４５は、ＬＥＤ発光部５５からの光を遮光すると共に、操作キー部材や外部からの静電気が筐体内部の電子部品等に導電することを防止する。遮光部材４５は絶縁部材としても機能し、遮光対策だけでなく静電気対策としても用いられる。
【００６１】
まず、キースイッチ５１とキースイッチ５３との間に配置されるＬＥＤ発光部５５から照射された光は、キーシート４０Ｃを透過する。キーシート４０Ｃを透過した光は、機能設定操作キー部材１３ｂに形成される透光部を透過する。これにより、機能設定操作キー部材１３ｂに形成される透光部が外部からみて発光し、透光部により構成される形状や数字等が強調表示される。
【００６２】
ＬＥＤ発光部５５から照射されキーシート４０Ｃを透過した光の一部は、遮光部材４５により遮光される。つまり、遮光部材４５は、ＬＥＤ発光部５５から照射された光を遮光する。詳細には、遮光部材４５は、該遮光部材４５が塗布される領域における光の透過を防止する。遮光部材４５が塗布された図３に示す領域における光の透過が防止されるので、環状キー部材１６ｂの周囲等から光が漏れ出すことが抑制される。
【００６３】
ここで、環状キー部材１６ｂにおける外部に露出する側の面全体には導電性の材料によりメッキ処理が施されているので、外部からの静電気が環状キー部材１６ｂに帯電して、この帯電した静電気が筐体内部に入り込みやすい。遮光部材４５は、この静電気対策のための部材としても機能する。具体的には、遮光部材４５は、絶縁性の材料で構成されると共に、キーシート４０ｃにおける機能設定操作キー部材１３ｂが対向して配置される領域の全てを含む領域に塗布されるので、機能設定操作キー部材１３ｂの表面に施されたメッキを伝って筐体内に入り込む静電気等がキーシート４０Ｃを透過することを抑制できる。機能設定操作キー部材１３ｂが対向配置され当接する部分に絶縁性の遮光部材が配置されるので、キーシート４０Ｃを介して内部の電子部品に導電される（静電気が飛び込む）ことが抑制される。
【００６４】
本実施形態によれば、キーシート４０Ｃに上述の領域に絶縁性の遮光部材４５が塗布されるので、不要な部分から光が漏れ出すことを抑制できると共に、キー操作部材等からの静電気等が内部の電子部品に導電されることを抑制できる。つまり、静電気による電子部品の誤動作を抑制できる。特に、上述のように第２キー操作部としての環状キー部材１６ｂにおける表面全体にメッキ処理が施されている場合には、該環状キー部材１６ｂの表面を伝って静電気が内部側に伝わるので、遮光部材４５を上述の領域に塗布することは静電気対策として好ましい。また、キーシート４０Ｃがシリコン性のシート部材である場合には、該シリコン性のシート部材に生じるピンホールから静電気が透過するという問題が遮光部材４５を塗布することで解消されるため好ましい。
【００６５】
また、本実施形態によれば、キーシート４０Ｃの表面に絶縁性の材料で構成される遮光部材４５を塗布することで遮光と静電気対策が可能であるので、製造工程を減らすことができる。これにより、製造工程上の負担を軽減できると共に、製造コストを低減できる。
【００６６】
また、本実施形態によれば、汎用される塗料等により遮光部材４５を構成することもでき、従来の塗布条件が厳しい導電性塗料を塗布する場合における製造上の困難性やこれに起因するコスト上昇等を回避することができる。
【００６７】
以上、本形態の好適な実施形態について説明したが、本発明は上述した実施形態に限定されることなく種々の形態で実施することができる。例えば、本実施形態において、遮光部材４５は、遮光性と絶縁性とを兼ね備えた塗料やインキを用いることができる。また、遮光部材４５の色は黒色に限定されず、遮光性が著しく低くなければその色は限定されない。ここで、遮光部材４５は、キーシート４０Ｃの表面に塗布されるが、本実施形態における塗布には、塗布、塗装、印刷、シート状の部材を溶着させること、シール状の部材を貼り付けることが含まれる。
【図面の簡単な説明】
【００６８】
【図１】携帯電話機１を開いた状態における外観斜視図を示す。
【図２】操作部側筐体２に内蔵される部材の分解斜視図である。
【図３】遮光部材４５が塗布された領域を説明する図である。
【図４】遮光部材４５が塗布された領域を説明する他の図である。
【図５】表示部側筐体３に内蔵される部材の分解斜視図である。
【符号の説明】
【００６９】
１        携帯電話機
２        操作部側筐体
３        表示部側筐体
１１      操作キー群
１３      機能設定操作キー
１３ａ    キー孔
１３ｂ    機能設定操作キー部材
１４ａ    キー孔
１５ａ    キー孔
１６      環状キー
１６ｂ    環状キー部材
４０      キー構造部
４０Ａ    操作部材
４０Ｂ    キーフレーム
４０Ｃ    キーシート
４５      遮光部材
５０      フレキシブル配線基板
５１      キースイッチ
５２      キースイッチ
５３      キースイッチ
５４      キースイッチ
５５      ＬＥＤ発光部
６０      ケース体
７０      回路基板
【図１】
2008294804.tif 000003
【図２】
2008294804.tif 000004
【図３】
2008294804.tif 000005
【図４】
2008294804.tif 000006
【図５】
2008294804.tif 000007